(57)【要約】幅木の取り付けが簡単、迅速に行え、かつ、外観が損われるおそれもない幅木取付構造を提供する。【解決手段】床部（１）に固定され、かつ、長手方向に配線用スペース（２ａ）を設けた中空台座（２）上に、間仕切壁（３）の下端部を載置し、間仕切壁（３）の下端部から中空台座（２）にわたって、幅木（４）を取り付けてなる幅木取付構造において、中空台座（２）に係止受部（２ｂ）を設けると共に、幅木（４）に係止片（４ａ）を設け、中空台座（２）の係止受部（２ｂ）に幅木（４）の係止片（４ａ）を係止させて幅木（４）を取り付ける。【選択図】　　　　図１
2004019324.tif 000002
【特許請求の範囲】
【請求項１】
床部に固定され、かつ、長手方向に配線用スペースを設けた中空台座上に、間仕切壁の下端部を載置し、間仕切壁の下端部から中空台座にわたって、幅木を取り付けてなる幅木取付構造において、中空台座に係止受部を設けると共に、幅木に係止片を設け、中空台座の係止受部に幅木の係止片を係止させて幅木を取り付けてなることを特徴とする幅木取付構造。
【請求項２】
中空台座に配線用開口を設けて開口縁部を係止受部となし、配線用開口の開口縁部に幅木の係止片を係止させて幅木を取り付ける請求項１記載の幅木取付構造。
【発明の詳細な説明】
【０００１】
【発明の属する技術分野】
この出願の発明は、幅木取付構造に関するものである。さらに詳しくは、この出願の発明は、幅木の取り付けが簡単、迅速に行え、かつ、外観が損なわれるおそれもない幅木取付構造に関するものである。
【０００２】
【従来の技術】
従来、マンション、オフィス等の建築物において、幅木を取り付ける場合には、例えば、図７に例示したように、床部（１）に固定され、かつ、長手方向に配線用スペース（２ａ）を設けた中空台座（２）上に、間仕切壁（３）の下端部を載置し、間仕切壁（３）の下端部から中空台座（２）にわたって、幅木（４）を取り付けていた。
【０００３】
また、上記幅木（４）を取り付けるに際しては、幅木（４）を釘、ビス等の止具の保持力が弱い中空台座（２）に止具にて固着して取り付けることが困難であるため、図７に例示したように、幅木（４）をスペーサー（５）を介して止具（６）にて間仕切壁（３）に、釘打ち、ビス止め等を行って固着することによって、取り付けていた。
【０００４】
なお、図７において、（７）は、中空台座（２）を止具（６）にて床部（１）に固定するに際して、必要に応じて、中空台座（２）の底部に敷設する床ランナー、（８）は、配線用スペース（２ａ）内を通した配線である。
【０００５】
【発明が解決しようとする課題】
しかしながら、上記従来の幅木取付構造においては、幅木（４）を止具（６）にて釘打ち、ビス止め等を行うのに手間がかかり、かつ、幅木（４）の表面に止具（６）頭部が露出したり、釘打ち、ビス止め等を行う時に、幅木（４）の表面を損傷したりして、外観が損われることがあるという問題があった。
【０００６】
この出願の発明は、以上の通りの事情に鑑みて為されたものであり、上記の問題点を解消し、幅木の取り付けが簡単、迅速に行え、かつ、外観が損われるおそれもない幅木取付構造を提供することを解決すべき課題としている。
【０００７】
【課題が解決するための手段】
この出願の発明は、上記の課題を解決するために為されたものであって、第１の発明は、床部に固定され、かつ、長手方向に配線用スペースを設けた中空台座上に、間仕切壁の下端部を載置し、間仕切壁の下端部から中空台座にわたって、幅木を取り付けてなる幅木取付構造において、中空台座に係止受部を設けると共に、幅木に係止片を設け、中空台座の係止受部に幅木の係止片を係止させて幅木を取り付けてなることを特徴とする幅木取付構造と提供する。
【０００８】
また第２の発明は、中空台座に配線用開口を設けて開口縁部を係止受部となし、配線用開口の開口縁部に幅木の係止片を係止させて幅木を取り付ける前記の幅木取付構造を提供する。
【０００９】
【発明の実施の形態】
この出願の発明は、前記の通りの特徴をもつものであるが、以下、その実施の形態について説明する。
【００１０】
図１は、この出願の発明の幅木取付構造の一実施形態を例示した要部拡大縦断面図、図２および図３は、同上一実施形態の使用状態の概要を例示した縦断面図および正面図、図４および図５は、同上一実施形態における一部変形例を例示した要部拡大縦断面図である。
【００１１】
図１に例示したように、この出願の発明は、建築物の床部（１）に固定され、かつ、長手方向〔間仕切壁（３）の載置方向〕に配線用スペース（２ａ）を設けた中空台座（２）上に、間仕切壁（３）の下端部を載置し、間仕切壁（３）の下端部から中空台座（２）にわたって、隠ぺいして仕上げる幅木（４）を取り付けてなる幅木取付構造において、中空台座（２）に係止受部（２ｂ）を設けると共に、幅木（４）に係止片（４ａ）を設け、中空台座（２）の係止受部（２ｂ）に幅木（４）の係止片（４ａ）を係止させて幅木（４）を取り付けてなることを特徴とする幅木取付構造に関するものである。
【００１２】
なお、この出願の発明において、中空台座（２）に係止受部（２ｂ）を設ける場合には、例えば、図１に例示したように、角型鋼管等よりなる金属製角型横筒体にて中空台座（２）を形成し、該中空台座（２）の両側壁部に、後述するように配線用開口（２ｃ）を設けて開口縁部を係止受部（２ｂ）としたり、該中空台座（２）の両側壁部に、鍵型受部等のフック受部（図示せず）を形成して係止受部を設けたりすれば良い。
【００１３】
また、幅木（４）に係止片（４ａ）を設ける場合には、例えば、図１に例示したように、化粧合板、化粧合成樹脂板、化粧金属板等よりなる汎用の幅木（４）の背面に、上記中空台座（２）の係止受部（２ｂ）に引っ掛ける引っ掛け部（４ｂ）を先端に設けた弾性金属脚片、弾性合成樹脂脚片等によりなるフック体を、長手方向全長にわたって所望の位置に、釘止め、ビス止め、接着、溶着等にて固着することによって、上記中空台座（２）の係止受部（２ｂ）に、弾性作用によって引っ掛けて係止させる係止片（４ａ）を突設して設ければ良い。
【００１４】
また、この出願の発明において床部（１）を形成する場合には、例えば、従来のマンション、オフィス等の建築物における二重床と同様にして、図２に例示したように、コンクリート下地等よりなる床スラブ（１ａ）上に、防振材付きの木製脚体、金属製脚体等よりなる支持脚（１ｂ）を介して、合板等の床下地材（１ｃ）および木質単板等の床仕上げ材（１ｄ）よりなる床パネルを支持して二重床構造の床部（１）を形成したり、通常の床と同様にして一重床構造の床部を形成したりすれば良い。
【００１５】
また、床部（１）上に中空台座（２）を固定する場合には、例えば図１、図２および図３に例示したように、床部（１）を構成する床下地材（１ｃ）上に、木材、金属等よるなる角溝状の床ランナー（７）を敷設し、床ランナー（７）に中空台座（２）を嵌合させ、ビス等の止具（６）を打設して固定すると、床ランナー（７）を介して中空台座（２）を正確に位置決めして固定することができるので、好適である。なお、中空台座（２）を固定しない床下地材（１ｃ）上は、例えば図１、図２および図３に例示したように、必要に応じて、床仕上げ材（１ｄ）を敷設して仕上げれば良い。
【００１６】
また、中空台座（２）としては、例えば、図３に例示したようなブロック状の中空台座（２）を間隔を隔てて固定しても良いし、長手方向全長にわたる長尺の中空台座（２）を固定しても良い。
【００１７】
また、中空台座（２）上に、間仕切壁（３）の下端部を載置する場合に、例えば、図１および図４に例示したように、中空台座（２）の上面部両側端縁に間仕切壁挟着片（２ｄ）を一体に立設させると共に、間仕切壁（３）の下端部に嵌合凸部（３ａ）を設け、中空台座（２）の間仕切壁挟着片（２ｄ）間に間仕切壁（３）の嵌合凸部（３ａ）を嵌合させて載置し、かつ、中空台座（２）の間仕切壁挟着片（２ｄ）から間仕切壁（３）の嵌合凸部（３ａ）にわたってビス等の止具（６）を打設して固定したり、図５に例示したように、中空台座（２）の内部上端に木製ブロック等よりなる固定材（２ｅ）を埋設すると共に、間仕切壁（３）の下端部に嵌合凹部（３ｂ）を設け、中空台座（２）の上端部に間仕切壁（３）の嵌合凹部（３ｂ）を嵌合させて載置し、かつ、間仕切壁（３）の嵌合凹部（３ｂ）から中空台座（２）に埋設した固定材（２ｅ）にわたってビス等の止具（６）を打設して固定したりすると、前記二重床よりなる床部（１）のように重量物が載置されて床部（１）が沈んだ場合にも、間仕切壁（３）が中空台座（２）から浮いてガタツキを生じるおそれがない。また、中空台座（２）上に間仕切壁（３）の下端部を嵌合させて載置するに際して、例えば、図４に例示したように、間仕切壁（３）の嵌合先端部に嵌合ガイド用テーパー（３ｃ）を設けたり、図５に例示したように、中空台座（２）の嵌合先端部に嵌合ガイド用テーパー（２ｆ）を設けたりした場合には、図４矢印および図５に例示したように、嵌合ガイド用テーパー（３ｃ）、（２ｆ）によってガイドしつつ中空台座（２）上に間仕切壁（３）の下端部を円滑、正確に嵌合させて載置することができる。
【００１８】
また、間仕切壁（３）を形成する場合には、例えば図１、図２、図４および図５に例示したように、パネル枠を構成する木製の枠材（３ｄ）の両面に、化粧合板、化粧石膏ボード等の表面材（３ｅ）を固着して間仕切壁（３）を形成したり、所望の材料にて所望の構造の間仕切壁を形成したりすれば良い。
【００１９】
また、間仕切壁（３）を天井部に固定する場合には、例えば、常法に従って、図２に例示したように、天井部（９）に直接固定したり、天井ランナーを介して固定したりすれば良い。
【００２０】
また、天井部（９）を形成する場合には、例えば、常法に従って、図２に例示したように、コンクリート下地等よりなる天井スラブ（９ａ）下に、金属棒体等よりなる吊材（９ｂ）を介して、野縁材等の天井下地材（９ｃ）および化粧無機質板等の天井仕上げ材（９ｄ）よりなる天井パネルを吊り下げ支持して二重天井構造の天井部（９）を形成したり、所望の材料にて所望の構造の天井部を形成したりすれば良い。
【００２１】
以上の通り、この出願の発明においては、中空台座（２）に係止受部（２ｂ）を設けると共に、幅木（４）に係止片（４ａ）を設け、中空台座（２）の係止受部（２ｂ）に幅木（４）の係止片（４ａ）を係止させて取り付けてなるので、図１矢印にて示すように、幅木（４）をワンタッチで中空台座（２）に係止させるだけで取り付けることができ、従来のように手間のかかる釘打ち、ビス止め等を行う必要がなく、幅木（４）の取り付けが簡単、迅速に行え、かつ、釘打ち、ビス止め等を行う時のように、幅木（４）の表面に止具（６）頭部が露出したり、取り付け作業時に幅木（４）の表面を損傷したりして外観が損なわれるおそれもない。
【００２２】
勿論、図１、図４および図５に示すように、中空台座（２）の配線用スペース（２ａ）を利用して電気、情報等の配線（８）を通して各部屋へ供給することができる。
【００２３】
また、図１に例示したように、中空台座（２）の両側壁部の所望の位置に配線用開口（２ｃ）を設け、該配線用開口（２ｃ）の開口縁部を係止受部（２ｂ）となし、配線用開口（２ｃ）の上下または両側（図１においては、上下）の開口縁部に幅木（４）の係止片（４ａ）を係止させて幅木（４）を取り付けるようにした場合には、中空台座（２）の配線用開口（２ｃ）の開口縁部に幅木（４）の係止片（４ａ）の引っ掛け部（４ｂ）を引っ掛けて係止させるだけで、簡単、確実に係止させて幅木（４）を取付けることができ、さらに加うるに、中空台座（２）に係止受部（２ｂ）を設けるに際して、係止受部（２ｂ）形成用の材料を別途使用したり、固着したりすることなく、中空台座（２）自体に孔あけ加工を施して配線用開口（２ｃ）を形成するだけで係止受部（２ｂ）を設けることができ、かつ、該配線用開口（２ｃ）を利用して配線用スペース（２ａ）に配線（８）を挿入したり、配線用スペース（２ａ）を通した配線（８）を引き出したりして各部屋へ供給したりすることもできる。
【００２４】
図６は、上記この出願の発明の一実施形態において使用する異なった中空台座を例示した拡大斜視図である。
【００２５】
上記この出願の発明の一実施形態において例示したように、中空台座（２）の両側壁部に配線用開口（２ｃ）を設けて開口縁部を係止受部（２ｂ）となした場合には、図６に例示しように、鋼板等の金属板を折曲加工して角溝体よりなる中空台座本体を形成し、かつ、角溝体の両側板上端縁を互いに内側方に水平に延長して間仕切壁載置片（２ｇ）を形成すると共に、両側板上端縁から下方に切り込みを刻設し、切り込み部内側に位置する切り込み片部を外側上方に１８０度折曲して立ち上げることによって、間仕切壁挟着片（２ｄ）および配線用開口（２ｃ）を形成することができ、配線用開口（２ｃ）および係止受部（２ｂ）を有する中空台座（２）を、一枚の金属板から材料ロスを最少限度にして経済的に形成することができる。
【００２６】
なお、図６において、（２ｈ）は、図１に例示したように、間仕切壁挟着片（２ｄ）に止具（６）を打設して固定する止具孔である。
【００２７】
勿論、この出願の発明は、以上の実施形態によって限定されるものではなく、床部および間仕切壁の材質、構造、中空台座の材質、形状、構造、大きさ、幅木の材質、形状、係止受部および係止部の形状、材質、構造等、細部については様々な態様が可能であることは言うまでもない。
【００２８】
【発明の効果】
以上詳しく説明した通り、この出願の発明によって、幅木の取り付けが簡単、迅速に行え、かつ、外観が損なわれるおそれもない。
【図面の簡単な説明】
【図１】この出願の発明の幅木取付構造の一実施形態を例示した要部拡大縦断面図である。
【図２】同上一実施形態の使用状態の概要を例示した縦断面図である。
【図３】同上一実施形態の使用状態の概要を例示した正面図である。
【図４】同上一実施形態における一部変形例を例示した要部拡大縦断面図である。
【図５】同上一実施形態における一部変形例を例示した要部拡大縦断面図である。
【図６】同上一実施形態において使用する異なった中空台座を例示した拡大斜視図である。
【図７】従来の幅木取付構造を例示した要部拡大縦断面図である。
【符号の説明】
１　床部
１ａ　床スラブ
１ｂ　支持脚
１ｃ　床下地材
１ｄ　床仕上げ材
２　中空台座
２ａ　配線用スペース
２ｂ　係止受部
２ｃ　配線用開口
２ｄ　間仕切壁挟着片
２ｅ　固定材
２ｆ　嵌合ガイド用テーパー
２ｇ　間仕切壁載置片
２ｈ　止具孔
３　間仕切壁
３ａ　嵌合凸部
３ｂ　嵌合凹部
３ｃ　嵌合ガイド用テーパー
３ｄ　枠材
３ｅ　表面材
４　幅木
４ａ　係止片
４ｂ　引っ掛け部
５　スペーサー
６　止具
７　床ランナー
８　配線
９　天井部
９ａ　天井スラブ
９ｂ　吊材
９ｃ　天井下地材
９ｄ　天井仕上げ材
【図１】
2004019324.tif 000003
【図２】
2004019324.tif 000004
【図３】
2004019324.tif 000005
【図４】
2004019324.tif 000006
【図５】
2004019324.tif 000007
【図６】
2004019324.tif 000008
【図７】
2004019324.tif 000009